(57)【要約】  管理サーバは、制御サーバによる充放電制御の対象に含まれる複数の蓄電装置に対する保守管理を行うサーバを含む。前記管理サーバは、少なくとも１つのプロセッサを備える。前記少なくとも１つのプロセッサは、特定処理と、選択処理と、通知処理と、を実行する。前記特定処理は、前記複数の蓄電装置のそれぞれの劣化度を特定する処理を含む。前記選択処理は、前記特定処理により特定された前記劣化度に基づいて、前記複数の蓄電装置の中から、前記制御サーバによる充放電制御の対象から除外する除外蓄電装置を選択する処理を含む。前記通知処理は、前記選択処理により選択された前記除外蓄電装置に対する充放電制御が不可である旨を前記制御サーバに通知する処理を含む。
2020004053.tif 000002
【特許請求の範囲】
【請求項１】
制御サーバによる充放電制御の対象に含まれる複数の蓄電装置に対する保守管理を行う少なくとも１つのプロセッサを備え、
前記少なくとも１つのプロセッサは、
前記複数の蓄電装置のそれぞれの劣化度を特定する特定処理と、
前記特定処理により特定された前記劣化度に基づいて、前記複数の蓄電装置の中から、前記制御サーバによる充放電制御の対象から除外する除外蓄電装置を選択する選択処理と、
前記選択処理により選択された前記除外蓄電装置に対する充放電制御が不可である旨を前記制御サーバに通知する通知処理と、を実行する管理サーバ。
【請求項２】
前記通知処理は、前記制御サーバによる充放電制御を禁止することを示す禁止設定情報を前記除外蓄電装置又は前記除外蓄電装置の制御装置に設定することにより、前記不可である旨の通知を行う処理を含む、請求項１に記載の管理サーバ。
【請求項３】
前記選択処理は、前記複数の蓄電装置のうち前記除外蓄電装置が占める割合又は前記除外蓄電装置の数を所定閾値以下に維持しつつ、前記複数の蓄電装置の中から少なくとも１つの除外蓄電装置を選択する処理を含む、請求項１又は２に記載の管理サーバ。
【請求項４】
前記選択処理は、前記複数の蓄電装置のうち前記制御サーバによる充放電制御を許可する蓄電装置の数を一定数以上担保するように前記所定閾値を設定する処理を含む、請求項３に記載の管理サーバ。
【請求項５】
前記選択処理は、前記複数の蓄電装置のうち前記制御サーバによる充放電制御を許可する蓄電装置の合計の定格出力を一定値以上担保するように前記所定閾値を設定する処理を含む、請求項３に記載の管理サーバ。
【請求項６】
前記選択処理は、前記複数の蓄電装置のうち前記制御サーバによる充放電制御を許可する蓄電装置の合計の放電余力を一定値以上担保するように前記所定閾値を設定する処理を含み、
前記放電余力は、蓄電装置の定格出力のうち前記制御サーバによる充放電制御のために割り当てられた電力、又は蓄電装置の蓄電残量のうち前記制御サーバによる充放電制御のために割り当てられた電力量を表す、請求項３に記載の管理サーバ。
【請求項７】
前記選択処理は、経年時間に対する目標劣化度の関係を表す経年劣化速度に基づいて、前記複数の蓄電装置のそれぞれについて経年時間に対応する目標劣化度を特定する処理と、前記特定された劣化度と前記目標劣化度との比較結果に基づいて、前記複数の蓄電装置の中から前記除外蓄電装置を選択する処理と、を含む請求項１乃至６のいずれか１項に記載の管理サーバ。
【請求項８】
前記特定処理は、前記複数の蓄電装置のそれぞれについて、ＳＯＣ（Ｓｔａｔｅ  ｏｆ  Ｃｈａｒｇｅ）、温度、及び充放電電力の少なくとも１つを含む劣化要因パラメータを監視する処理と、前記監視している劣化要因パラメータに基づいて前記複数の蓄電装置のそれぞれの推定劣化度を特定する処理と、を含む請求項１乃至７のいずれか１項に記載の管理サーバ。
【請求項９】
前記選択処理は、前記複数の蓄電装置がグループ分けされている場合に、前記除外蓄電装置の選択をグループごとに個別に行う処理を含む、請求項１乃至８のいずれか１項に記載の管理サーバ。
【請求項１０】
前記選択処理により選択された前記除外蓄電装置について、前記制御サーバによる充放電制御を許可する特定時間帯を決定する決定処理をさらに備え、
前記通知処理は、前記除外蓄電装置に対する充放電制御が前記特定時間帯において許可される旨を前記制御サーバに通知する処理を含む、請求項１乃至９のいずれか１項に記載の管理サーバ。
【請求項１１】
前記決定処理は、前記制御サーバが電力系統の電力需給バランスを調整するための充放電制御を行う場合に、各時間帯における前記調整の必要性の高さを表す情報に基づいて前記特定時間帯を決定する処理を含む、請求項１０に記載の管理サーバ。
【請求項１２】
制御サーバによる充放電制御の対象に含まれる複数の蓄電装置に対する保守管理を行う少なくとも１つのプロセッサを備え、
前記少なくとも１つのプロセッサは、
前記複数の蓄電装置のそれぞれの劣化度を特定する特定処理と、
前記特定処理により特定された前記劣化度に基づいて、前記複数の蓄電装置の中から、前記制御サーバによる充放電制御の対象から除外する除外蓄電装置を選択する選択処理と、
前記選択処理により選択された前記除外蓄電装置に対する充放電制御が不可である旨を前記制御サーバに通知する通知処理と、を実行する管理システム。
【請求項１３】
制御サーバによる充放電制御の対象に含まれる複数の蓄電装置に対する保守管理を行うことを備え、
前記保守管理を行うことは、
前記複数の蓄電装置のそれぞれの劣化度を特定する特定することと、
前記特定された前記劣化度に基づいて、前記複数の蓄電装置の中から、前記制御サーバによる充放電制御の対象から除外する除外蓄電装置を選択する選択することと、
前記選択された前記除外蓄電装置に対する充放電制御が不可である旨を前記制御サーバに通知する通知することと、を備える管理方法。
【発明の詳細な説明】
【技術分野】
【０００１】
本発明は、管理サーバ、管理システム、及び管理方法に関する。
【背景技術】
【０００２】
近年、工場や家庭等の施設が有する分散型エネルギーリソースを統合的に制御して仮想的な１つの発電所のように機能させる技術であるＶＰＰ（Ｖｉｒｔｕａｌ  Ｐｏｗｅｒ  Ｐｌａｎｔ）が注目されている。かかる制御を行う事業者（「アグリゲータ」と称される）の制御サーバは、送配電事業者等の電力事業者からの要請に応じた統合制御を行う。【０００３】
また、特許文献１には、分散配置された複数の蓄電装置を統合制御するシステムが記載されている。特許文献１に記載のシステムでは、複数の蓄電装置の充放電を制御する装置が、当該複数の蓄電装置のそれぞれの劣化度に応じて、当該複数の蓄電装置の中から放電又は充電させる蓄電装置を選択する。
【先行技術文献】
【特許文献】
【０００４】
【特許文献１】特開２０１６−１５８７５号公報
【発明の概要】
【０００５】
第１の特徴に係る管理サーバは、制御サーバによる充放電制御の対象に含まれる複数の蓄電装置に対する保守管理を行うサーバである。前記管理サーバは、少なくとも１つのプロセッサを備える。前記少なくとも１つのプロセッサは、特定処理と、選択処理と、通知処理と、を実行する。前記特定処理は、前記複数の蓄電装置のそれぞれの劣化度を特定する処理を含む。前記選択処理は、前記特定処理により特定された前記劣化度に基づいて、前記複数の蓄電装置の中から、前記制御サーバによる充放電制御の対象から除外する除外蓄電装置を選択する処理を含む。前記通知処理は、前記選択処理により選択された前記除外蓄電装置に対する充放電制御が不可である旨を前記制御サーバに通知する処理を含む。
【０００６】
第２の特徴に係る管理システムは、制御サーバによる充放電制御の対象に含まれる複数の蓄電装置に対する保守管理を行うシステムを含む。前記管理システムは、少なくとも１つのプロセッサを備える。前記少なくとも１つのプロセッサは、特定処理と、選択処理と、通知処理と、を実行する。前記特定処理は、前記複数の蓄電装置のそれぞれの劣化度を特定する処理を含む。前記選択処理は、前記特定処理により特定された前記劣化度に基づいて、前記複数の蓄電装置の中から、前記制御サーバによる充放電制御の対象から除外する除外蓄電装置を選択する処理を含む。前記通知処理は、前記選択処理により選択された前記除外蓄電装置に対する充放電制御が不可である旨を前記制御サーバに通知する処理を含む。
【０００７】
第３の特徴に係る管理方法は、制御サーバによる充放電制御の対象に含まれる複数の蓄電装置に対する保守管理を行うことを含む。前記保守管理を行うことは、前記複数の蓄電装置のそれぞれの劣化度を特定することと、前記特定された前記劣化度に基づいて、前記複数の蓄電装置の中から、前記制御サーバによる充放電制御の対象から除外する除外蓄電装置を選択することと、前記選択された前記除外蓄電装置に対する充放電制御が不可である旨を前記制御サーバに通知することと、を備える。
【０００８】
第４の特徴に係る蓄電装置は、施設に設けられる。前記蓄電装置は、メモリおよび少なくとも１つのプロセッサを備える。前記メモリは、制御サーバからの制御を許可するか否かを示す外部制御設定情報を記憶する処理を実行する。前記少なくとも１つのプロセッサは、受信処理と、送信処理と、を実行する。前記受信処理は、前記施設の電力を管理する管理装置から、前記外部制御設定情報の送信を要求する要求メッセージを受信する処理を含む。前記送信処理は、前記要求メッセージの受信に応じて、前記外部制御設定情報を含む応答メッセージを前記管理装置に送信する処理を含む。ここで、前記外部制御設定情報は、前記管理装置から前記蓄電装置に対して設定不可とされた設定情報であってもよい。
【０００９】
第５の特徴に係る管理装置は、施設の電力を管理する。前記管理装置は、少なくとも１つのプロセッサを備える。前記少なくとも１つのプロセッサは、第１送信処理と、受信処理と、第２送信処理と、を実行する。前記第１送信処理は、制御サーバからの制御を許可するか否かを示す外部制御設定情報の送信を要求する要求メッセージを、前記施設に設けられる蓄電装置に送信する処理を含む。前記受信処理は、前記外部制御設定情報を含む応答メッセージを前記蓄電装置から受信する処理を含む。前記第２送信処理は、受信した外部制御設定情報に基づく情報を前記制御サーバに送信する処理を含む。
【図面の簡単な説明】
【００１０】
【図１】実施形態に係る管理システムの構成を示す図である。
【図２】実施形態に係る管理システムにおける通信路構成を示す図である。
【図３】実施形態に係る蓄電装置の構成を示す図である。
【図４】実施形態に係る管理サーバの構成を示す図である。
【図５】実施形態に係る管理システムにおける動作シーケンスの一例を示す図である。
【図６】実施形態に係る外部制御設定情報の一例を示す図である。
【図７】実施形態に係る管理システムにおける通信路構成の変更例を示す図である。
【図８】実施形態の変更例に係る管理システムにおける動作シーケンスの一例を示す図である。
【発明を実施するための形態】
【００１１】
蓄電装置のユーザ及び／又は蓄電装置の保守管理を行う事業者（蓄電装置のメーカーでありうる）にとっては、蓄電装置のメーカーが保証する製品寿命が満たされることが重要である。また、制御サーバの充放電制御により、一処理の蓄電装置だけ劣化が早く進むことは好ましくない。
【００１２】
しかしながら、アグリゲータは、電力事業者からの要請に応じた統合制御を行う責任を有するものの、蓄電装置の保守管理を行う責任を有しないケースがある。このため、制御サーバは、各蓄電装置の劣化を十分に考慮せずに充放電制御を行うことがありうる。
【００１３】
よって、制御サーバが複数の蓄電装置を統合制御する場合、一処理の蓄電装置だけ劣化が早く進んでしまう可能性がある。極端な場合には、メーカーが保証する製品寿命を満たせない蓄電装置が発生する懸念がある。
【００１４】
そこで、本開示は、制御サーバが劣化を考慮せずに複数の蓄電装置の統合制御を行う場合であっても、一処理の蓄電装置だけ劣化が早く進んでしまうことを回避可能とする管理サーバ、管理システム、及び管理方法を提供する。
【００１５】
一実施形態に係る管理サーバは、制御サーバによる充放電制御の対象に含まれる複数の蓄電装置に対する保守管理を行うサーバである。前記管理サーバは、少なくとも１つのプロセッサを備える。前記少なくとも１つのプロセッサは、特定処理と、選択処理と、通知処理と、を実行する。前記特定処理は、前記複数の蓄電装置のそれぞれの劣化度を特定する処理を含む。前記選択処理は、前記特定処理により特定された前記劣化度に基づいて、前記複数の蓄電装置の中から、前記制御サーバによる充放電制御の対象から除外する除外蓄電装置を選択する処理を含む。前記通知処理は、前記選択処理により選択された前記除外蓄電装置に対する充放電制御が不可である旨を前記制御サーバに通知する処理を含む。
【００１６】
これにより、制御サーバが劣化を考慮せずに複数の蓄電装置の統合制御を行う場合であっても、一部処理の蓄電装置だけ劣化が早く進んでしまうことを回避可能とする管理サーバ、管理システム、及び管理方法を提供できる。
【００１７】
一実施形態に係る管理システムについて図面を参照しながら説明する。なお、以下の図面の記載において、同一又は類似の部分には、同一又は類似の符号を付している。
【００１８】
（管理システム）
図１は、本実施形態に係る管理システム１の構成を示す図である。
【００１９】
図１に示すように、管理システム１は、複数の施設１００と、管理サーバ２００と、制御サーバ３００と、上位サーバ４００とを有する。図１では、複数の施設１００として、施設１００Ａ乃至３００Ｃが例示されている。各施設１００は同様の構成であるため、図１では施設１００Ａ乃至３００Ｃのうち施設１００Ａの構成のみを示している。各施設１００は、電力系統１０に接続される。以下において、電力系統１０から施設１００への電力の流れを潮流と称する。また、施設１００から電力系統１０への電力の流れを逆潮流と称する。電力系統１０から施設１００への電力は、需要電力と称されることがある。
【００２０】
施設１００、管理サーバ２００、制御サーバ３００、及び上位サーバ４００は、通信ネットワーク２０に接続されている。例えば、通信ネットワーク２０は、インターネットを含んでもよい。また、例えば、通信ネットワーク２０は、ＶＰＮ（Ｖｉｒｔｕａｌ  Ｐｒｉｖａｔｅ  Ｎｅｔｗｏｒｋ）等の専用回線を含んでもよい。
【００２１】
施設１００は、計測装置１１０と、蓄電装置１２０と、負荷機器１３０と、ＥＭＳ（Ｅｎｅｒｇｙ  Ｍａｎａｇｅｍｅｎｔ  Ｓｙｓｔｅｍ）１４０とを有する。施設１００は、太陽光発電装置等の分散電源をさらに有してもよい。
【００２２】
計測装置１１０は、潮流量及び逆潮流量を計測する装置である。計測装置１１０は、計測データをＥＭＳ１４０に送信する。
【００２３】
蓄電装置１２０は、充電及び放電を行う装置である。蓄電装置１２０は、リチウムイオン蓄電装置、鉛蓄電装置、又はニッケル・水素蓄電装置等を含む。蓄電装置１２０は、ＥＭＳ１４０により制御される。また、蓄電装置１２０は、管理サーバ２００との通信を行う。
【００２４】
負荷機器１３０は、電力を消費する機器である。例えば、負荷機器１３０は、空調機器、照明機器、ＡＶ（Ａｕｄｉｏ  Ｖｉｓｕａｌ）機器等を含む。
【００２５】
ＥＭＳ１４０は、施設１００の電力を管理する装置である。ＥＭＳ１４０は、蓄電装置１２０を制御する制御装置の一例である。ＥＭＳ１４０は、負荷機器１３０の動作状態を制御してもよい。例えば、ＥＭＳ１４０は、電気料金削減のためにピークカットを行ってもよい。このような場合、ＥＭＳ１４０は、例えば、電力需要の低い夜間に充電を行い、電力需要の高くなる時間帯に放電を行うように蓄電装置１２０を制御する。これにより、ＥＭＳ１４０はピーク電力を下げる。一方、ＶＰＰ制御において、ＥＭＳ１４０は、制御サーバ３００からの制御メッセージに応じて蓄電装置１２０を制御する。
【００２６】
管理サーバ２００は、蓄電装置１２０の保守管理を行う装置である。管理サーバ２００は、Ｏ＆Ｍ（Ｏｐｅｒａｔｉｏｎ  ａｎｄ  Ｍａｉｎｔｅｎａｎｃｅ）サービス提供者のサーバである。Ｏ＆Ｍサービス提供者は、蓄電装置１２０の保守管理を行う事業者である。Ｏ＆Ｍサービス提供者は、蓄電装置１２０のメーカーであってもよい。管理サーバ２００は、特定のメーカーの蓄電装置１２０、又はＯ＆Ｍサービス提供者との保守管理契約を有するユーザの蓄電装置１２０を管理対象とする。管理サーバ２００は、蓄電装置１２０との通信を行い、蓄電装置１２０の遠隔監視を行う。管理サーバ２００は、ＥＭＳ１４０経由で蓄電装置１２０との通信を行ってもよい。
【００２７】
制御サーバ３００は、施設１００の蓄電装置１２０の充放電を統合的に制御する装置である。制御サーバ３００は、アグリゲータのサーバである。アグリゲータは、複数の施設１００の分散型エネルギー設備を集約して電力管理を行う事業者である。アグリゲータは、電力系統１０の電力需給バランスを取るための調整力を提供する。このようなアグリゲータはリソースアグリゲータと称されることがある。制御サーバ３００は、リソースアグリゲータとの契約を有するユーザの施設１００を制御対象とする。制御サーバ３００は、上位サーバ４００からの要請に応じて、要請された量の電力を調整するように蓄電装置１２０の充放電を制御する。具体的には、蓄電装置１２０の制御を指示する制御メッセージをＥＭＳ１４０に送信する。
【００２８】
上位サーバ４００は、電力系統１０の電力需給バランスを取るために、潮流量又は逆潮流量の調整を制御サーバ３００に要請する装置である。上位サーバ４００は、電力事業者のサーバ、又は上位アグリゲータのサーバである。電力事業者には発電事業者、送配電事業者及び小売事業者等を含む。上位アグリゲータは、複数のリソースアグリゲータを統括する。上位サーバ４００は、例えば太陽光発電量が多い時間帯について逆潮流量の削減を制御サーバ３００に要請してもよい。また、上位サーバ４００は、例えば太陽光発電量が少ない時間帯について潮流量の削減を制御サーバ３００に要請してもよい。
【００２９】
図２は、本実施形態に係る管理システム１における通信路構成を示す図である。
【００３０】
図２に示すように、上位サーバ４００は、制御サーバ３００との通信を行う。上位サーバ４００と制御サーバ３００との間の通信には、ＯｐｅｎＡＤＲ（Ａｕｔｏｍａｔｅｄ  Ｄｅｍａｎｄ  Ｒｅｓｐｏｎｓｅ）２．０に準拠するプロトコル又は独自の専用プロトコルを用いることができる。ＯｐｅｎＡＤＲ２．０において、制御メッセージを送信する機能をＶＴＮ（Ｖｉｒｔｕａｌ  Ｔｏｐ  Ｎｏｄｅ）と称しする。また、ＯｐｅｎＡＤＲ２．０において、制御メッセージを受信する機能をＶＥＮ（Ｖｉｒｔｕａｌ  Ｅｎｄ  Ｎｏｄｅ）と称する。上位サーバ４００は、制御サーバ３００に対して、潮流の制御を要求する潮流制御メッセージ（例えば、ＤＲ（Ｄｅｍａｎｄ  Ｒｅｓｐｏｎｓｅ）要請又はＤＲイベント）を送信してもよい。或いは、上位サーバ４００は、制御サーバ３００に対して、逆潮流の制御を要求する逆潮流制御メッセージを送信してもよい。潮流又は逆潮流の制御度合いは、絶対値（例えば、○○ｋＷ）で表されてもよく、相対値（例えば、○○％）で表されてもよい。
【００３１】
制御サーバ３００は、上位サーバ４００及びＥＭＳ１４０との通信を行う。制御サーバ３００とＥＭＳ１４０との間の通信には、ＯｐｅｎＡＤＲ２．０に準拠するプロトコル又は独自の専用プロトコルを用いることができる。制御サーバ３００は、ＥＭＳ１４０に対して、潮流の制御を要求する潮流制御メッセージ（例えば、ＤＲ要請又はＤＲイベント）を送信してもよい。或いは、制御サーバ３００は、ＥＭＳ１４０に対して、逆潮流の制御を要求する逆潮流制御メッセージを送信してもよい。
【００３２】
ＥＭＳ１４０は、制御サーバ３００及び蓄電装置１２０との通信を行う。ＥＭＳ１４０と蓄電装置１２０との間の通信には、ＥＣＨＯＮＥＴ  Ｌｉｔｅに準拠するプロトコル、ＳＥＰ（Ｓｍａｒｔ  Ｅｎｅｒｇｙ  Ｐｒｏｆｉｌｅ）２．０、ＫＮＸ、或いは、独自の専用プロトコルを用いることができる。ＥＭＳ１４０は、制御サーバ３００からの制御メッセージに応じて蓄電装置１２０の充放電を制御する。具体的には、ＥＭＳ１４０は、蓄電装置１２０の動作を設定するメッセージを蓄電装置１２０に送信する。これにより、ＥＭＳ１４０は蓄電装置１２０を制御する。
【００３３】
蓄電装置１２０は、ＥＭＳ１４０及び管理サーバ２００との通信を行う。蓄電装置１２０と管理サーバ２００との間の通信には、独自の専用プロトコルを用いることができる。蓄電装置１２０は、ＥＭＳ１４０からのメッセージに応じて充放電を行う。
【００３４】
管理サーバ２００は、蓄電装置１２０との通信を行い、蓄電装置１２０の遠隔監視を行う。管理サーバ２００は、ＥＭＳ１４０経由で蓄電装置１２０との通信を行ってもよい。また、管理サーバ２００は、自身の管理下の複数の蓄電装置１２０のうち一部の蓄電装置だけ劣化が早く進むことを回避するための処理を行う。具体的には、管理サーバ２００は、複数の蓄電装置１２０のそれぞれの劣化度を特定する。劣化度は、実際の劣化度であってもよい。或いは、劣化度は、推定された劣化度であってもよい。管理サーバ２００は、特定された劣化度に基づいて、除外蓄電装置を選択する。除外蓄電装置とは、複数の蓄電装置１２０の中から制御サーバ３００による充放電制御の対象から除外する蓄電装置である。更に、管理サーバ２００は、選択された除外蓄電装置に対する充放電制御が不可である旨を制御サーバ３００に通知する。
【００３５】
但し、本実施形態において、管理サーバ２００は、制御サーバ３００との間に直接的な通信路を有していない。よって、管理サーバ２００は、蓄電装置１２０及びＥＭＳ１４０を介して制御サーバ３００に対する通知を行う。具体的には、管理サーバ２００は、禁止設定情報を除外蓄電装置に設定する。禁止設定情報は制御サーバ３００による充放電制御を禁止することを示す。これにより、管理サーバ２００は除外蓄電装置に対する充放電制御が不可である旨の通知を行う。蓄電装置１２０に設定された禁止設定情報はＥＭＳ１４０により読み出されて制御サーバ３００に伝達される。或いは、管理サーバ２００は、禁止設定情報をＥＭＳ１４０に設定する。禁止設定情報は制御サーバ３００による充放電制御を禁止することを示す。これにより、管理サーバ２００は除外蓄電装置に対する充放電制御が不可である旨の通知を行う。ＥＭＳ１４０に設定された禁止設定情報はＥＭＳ１４０から制御サーバ３００に伝達される。以下においては、管理サーバ２００が禁止設定情報を除外蓄電装置に設定する一例について説明する。
【００３６】
制御サーバ３００は、管理サーバ２００により選択された除外蓄電装置に対する充放電制御が不可である（禁止されている）旨の通知を受ける。このような場合、制御サーバ３００は、当該除外蓄電装置に対する充放電制御を避ける。具体的には、制御サーバ３００は、自身の配下の施設１００のうち、除外蓄電装置を有する施設１００を除外した後にＶＰＰ制御を行う。
【００３７】
（蓄電装置）
図３は、本実施形態に係る蓄電装置１２０の構成を示す図である。
【００３８】
図３に示すように、蓄電装置１２０は、蓄電池セル１２１と、ＰＣＳ（Ｐｏｗｅｒ  Ｃｏｎｄｉｔｉｏｎｉｎｇ  Ｓｙｓｔｅｍ）１２２と、通信部１２３と、記憶部１２４と、温度センサ１２５と、制御部１２６とを有する。ＰＣＳ１２２には、通信部１２３、記憶部１２４、温度センサ１２５、及び制御部１２６のうち少なくとも１つが含まれていてもよい。
【００３９】
蓄電池セル１２１は、ＰＣＳ１２２から入力される電力を蓄える。また、蓄電池セル１２１は、ＰＣＳ１２２に電力を出力する。
【００４０】
ＰＣＳ１２２は、放電時において、蓄電池セル１２１から入力される電力（直流）を交流に変換して出力する。また、ＰＣＳ１２２は、充電時において、電力系統１０から入力される電力（交流）を直流に変換して蓄電池セル１２１に出力する。ＰＣＳ１２２は、ＳＯＣ（Ｓｔａｔｅ  ｏｆ  Ｃｈａｒｇｅ）及び充放電電力を計測する。更に、ＰＣＳ１２２は、計測データを制御部１２６に出力する。
【００４１】
通信部１２３は、ＥＭＳ１４０との通信及び管理サーバ２００との通信を行う。通信部１２３は通信モジュールを含む。例えば、通信部１２３は、ＥＣＨＯＮＥＴ  Ｌｉｔｅに従ったメッセージをＥＭＳ１４０と送受信する。また、通信部１２３は、独自の専用プロトコルに従ったメッセージを管理サーバ２００と送受信する。
【００４２】
記憶部１２４は、各種の情報を記憶する。記憶部１２４はメモリを含む。記憶部１２４は、例えば、外部制御設定情報を記憶する。外部制御設定情報は、「許可」又は「禁止」を示す設定情報である。すなわち、外部制御設定情報は、制御サーバ３００からの充放電制御を許可すること又は禁止することを示す設定情報である。以下において、「禁止」を示す外部制御設定情報を外部制御禁止設定情報と称することがある。記憶部１２４は、外部制御設定情報として「許可」をデフォルトの設定情報（初期情報）として記憶していてもよい。
【００４３】
温度センサ１２５は、温度を計測し、計測データを制御部１２６に出力する。温度センサ１２５は、蓄電池セル１２１の温度を計測するものであってもよい。或いは、温度センサ１２５は、蓄電池セル１２１の周囲の温度を計測するものであってもよい。
【００４４】
制御部１２６は、蓄電装置１２０が備える各構成を制御する。制御部１２６は、ＣＰＵ（Ｃｅｎｔｒａｌ  Ｐｒｏｃｅｓｓｉｎｇ  Ｕｎｉｔ）を含む。制御部１２６は、通信部１２３がＥＭＳ１４０から受信したメッセージを解読する。更に制御部１２６は、当該メッセージに従ってＰＣＳ１２２を制御する。
【００４５】
通信部１２３は、外部制御設定情報の送信を要求するメッセージを受信してもよい。このような場合、制御部１２６は、記憶部１２４に記憶された外部制御設定情報を読み出す。更に、制御部１２６は、読み出した外部制御設定情報を含む応答メッセージをＥＭＳ１４０に送信するように通信部１２３を制御する。
【００４６】
通信部１２３は、管理サーバ２００から外部制御設定情報（「禁止」）を受信してもよい。このような場合、制御部１２６は、記憶部１２４に記憶される外部制御設定情報を「禁止」に更新する。
【００４７】
制御部１２６は、劣化要因パラメータを含むメッセージを管理サーバ２００に送信するように通信部１２３を制御する。劣化要因パラメータは、ＳＯＣ（Ｓｔａｔｅ  ｏｆ  Ｃｈａｒｇｅ）、温度、及び充放電電力の少なくとも１つを含む。
【００４８】
制御部１２６は、蓄電装置１２０の使用状況を示す情報を含むメッセージを管理サーバ２００に送信するように通信部１２３を制御する。蓄電装置１２０の使用状況は、蓄電装置１２０の劣化度（ＳＯＨ；Ｓｔａｔｅ  ｏｆ  Ｈｅａｌｔｈ）の特定に用いられる。蓄電装置１２０の使用状況を示す情報は、蓄電装置１２０の現在容量を示す情報を含んでもよい。蓄電装置１２０の現在容量は、例えば、ＡＣ実効容量（充電）、ＡＣ実効容量（放電）を含む。或いは、蓄電装置１２０の使用状況を示す情報は、蓄電装置１２０の現在抵抗値を示す情報を含んでもよい。或いは、蓄電装置１２０の使用状況を示す情報は、蓄電装置１２０の累積充電時間及び累積放電時間を示す情報を含んでもよい。或いは、蓄電装置１２０の使用状況を示す情報は、蓄電装置１２０の累積充電量を示す情報及び累積放電量を示す情報を含んでもよい。蓄電装置１２０の累積充電量を示す情報は、例えば、ＡＣ積算充電電力量計測値、ＡＣ瞬時充電電力量計測値、ＤＣ積算充電電力量計測値、ＤＣ瞬時充電電力量計測値、積算充電電力量計測値、瞬時充電電力計測値、及び瞬時充電電圧計測値のうちの少なくとも１つを含む。また、累積放電量を示す情報は、例えば、ＡＣ積算放電電力量計測値、ＡＣ瞬時放電電力量計測値、ＤＣ積算放電電力量計測値、ＤＣ瞬時放電電力量計測値、積算放電電力量計測値、瞬時放電電力計測値、及び瞬時放電電圧計測値のうちの少なくとも１つを含む。蓄電装置１２０の使用状況を示す情報は、蓄電装置１２０の累積充放電サイクル数を示す情報を含んでもよい。
【００４９】
（管理サーバ）
図４は、本実施形態に係る管理サーバ２００の構成を示す図である。
【００５０】
図４に示すように、管理サーバ２００は、データベース２１０と、通信部２２０と、制御部２３０とを有する。
【００５１】
データベース２１０は、メモリ又は／及びＨＤＤ等の記憶媒体によって構成されている。データベース２１０は、制御部２３０における制御及び処理に用いられる情報及びデータを記憶する。データベース２１０は、管理サーバ２００の管理下の蓄電装置１２０に関するデータを記憶する。蓄電装置１２０に関するデータは、施設１００に設けられる蓄電装置１２０のスペックなどであってもよい。スペックは、蓄電装置１２０の初期容量（Ｗ）、初期抵抗値（Ω）、及び定格出力（Ｗ）であってもよい。スペックは、蓄電装置１２０の種別によって特定されてもよい。
【００５２】
データベース２１０は、目標経年劣化速度を記憶していてもよい。目標経年劣化速度は、蓄電装置１２０の経年時間に対する目標ＳＯＨの関係を表す。例えば、目標経年劣化速度は、目標ＳＯＨ／経年時間で表される。経年時間は、蓄電装置１２０の設置からの時間である。経年時間は、蓄電装置１２０の設置からの累積放電量及び累積充電量の合計値から推定されてもよい。或いは、経年時間は、蓄電装置１２０の設置からの累積放電時間及び累積充電時間の合計値から推定されてもよい。或いは、経年時間は、蓄電装置１２０の設置からの累積充放電サイクル数から推定されてもよい。目標ＳＯＨは、経年時間に対して予め定められるＳＯＨの目標値である。目標経年劣化速度は、蓄電装置１２０毎に異なっていてもよい。
【００５３】
通信部２２０は、通信モジュールによって構成されている。通信部２２０は、蓄電装置１２０との通信を行う。通信部２２０は、劣化要因パラメータを含むメッセージを蓄電装置１２０から受信する。劣化要因パラメータは、ＳＯＣ（Ｓｔａｔｅ  ｏｆ  Ｃｈａｒｇｅ）、温度、及び充放電電力の少なくとも１つを含む。また、通信部２２０は、蓄電装置１２０の使用状況を示す情報を含むメッセージを蓄電装置１２０から受信する。さらに、通信部２２０は、外部制御設定情報を含むメッセージを蓄電装置１２０に送信する。
【００５４】
制御部２３０は、ＣＰＵ等によって構成される。制御部２３０は、管理サーバ２００が備える各構成を制御する。制御部２３０は、特定部２３１と、選択部２３２と、通知部２３３と、決定部２３４とを有する。特定部２３１、選択部２３２、通知部２３３、及び決定部２３４は、１つのＣＰＵにより構成されてもよいし、複数のＣＰＵにより構成されてもよい。
【００５５】
特定部２３１は、データベース２１０が記憶している情報及び通信部２２０が受信した情報に基づいて、蓄電装置１２０のＳＯＨを特定する。蓄電装置１２０のＳＯＨは、ＳＯＨ＝（現在容量／初期容量）×１００によって実測されてもよい。或いは、蓄電装置１２０のＳＯＨは、ＳＯＨ＝（現在抵抗値／初期抵抗値）×１００によって実測されてもよい。或いは、ＳＯＨは、所定周期（例えば、１回／２年）でメンテナンスモードを実行することによって実測されてもよい。
【００５６】
蓄電装置１２０のＳＯＨは、｛（容量ｔ１−劣化容量）／初期容量｝×１００によって推定されてもよい。容量ｔ１は、タイミングｔ１で実行されたメンテナンスモードで実測される容量である。劣化容量は、タイミングｔ１と現在タイミングとの間における充放電電力（放電量及び充電量）×１ｋＷｈ劣化率によって推定される。１ｋＷｈ劣化率は、蓄電装置１２０の保証劣化率によって特定してもよい。例えば、蓄電装置１２０は、６０００回の充放電サイクルで２０％の劣化率が保証されてもよい。このような場合、１ｋＷｈ劣化率は、１／３６００で表されてもよい。蓄電装置１２０のＳＯＨは、メンテナンスモード間のＳＯＨ劣化量及び充放電電力量から特定してもよい。メンテナンスモードは、タイミングｔ０、ｔ１で実行される。
【００５７】
蓄電装置１２０のＳＯＨは、劣化要因パラメータに基づいて推定されてもよい。劣化要因パラメータは、ＳＯＣ（Ｓｔａｔｅ  ｏｆ  Ｃｈａｒｇｅ）、温度、及び充放電電力の少なくとも１つを含む。具体的には、蓄電装置１２０が劣化しやすい状況にあるか否かに応じて、将来的なＳＯＨが推定されてもよい。例えば、蓄電装置１２０の温度が高温である場合を想定する。このような場合、蓄電装置１２０の充電又は放電を行うとＳＯＨは悪くなる。このため、特定部２３１は、温度が定常的に高温である蓄電装置１２０又は高温である時間の割合が多い蓄電装置１２０の将来的なＳＯＨとして低いＳＯＨを推定してもよい。また、ＳＯＣがゼロ又はゼロに近い、すなわち蓄電残量が空又は空に近い場合を想定する。このような場合、蓄電装置１２０のＳＯＨは悪くなる。このため、特定部２３１は、ＳＯＣがゼロ又はゼロに近い時間の割合が多い蓄電装置１２０の将来的なＳＯＨとして低いＳＯＨを推定してもよい。
【００５８】
以下においては、実測ＳＯＨ及び推定ＳＯＨを特に区別せずにＳＯＨと称することもある。
【００５９】
選択部２３２は、管理サーバ２００の管理下の蓄電装置１２０の中から、特定部２３１により特定されたＳＯＨに基づいて、制御サーバ３００による充放電制御の対象から除外する除外蓄電装置を選択する。選択部２３２は、管理サーバ２００の管理下の蓄電装置１２０のうちＳＯＨが最も悪い蓄電装置１２０を除外蓄電装置として選択してもよい。選択部２３２は、特定部２３１により特定されたＳＯＨが悪い順に所定数抽出し、抽出した蓄電装置１２０を除外蓄電装置として選択してもよい。
【００６０】
或いは、選択部２３２は、管理下の蓄電装置１２０のそれぞれについて、目標経年劣化速度に基づいて、経年時間に対応する目標ＳＯＨを特定してもよい。このような場合、選択部２３２は、特定部２３１により特定されたＳＯＨと目標ＳＯＨとの比較結果に基づいて除外蓄電装置を選択してもよい。具体的には、選択部２３２は、特定されたＳＯＨが目標ＳＯＨよりも悪い蓄電装置１２０について、劣化を抑制するために除外蓄電装置として選択してもよい。
【００６１】
但し、除外蓄電装置を増やしすぎると、制御サーバ３００が制御可能な蓄電装置１２０が少なくなり、十分な調整力を確保できなくなる可能性がある。そのため、除外に一定の制約を設けてもよい。具体的には、選択部２３２は、管理下の蓄電装置１２０のうち除外蓄電装置が占める割合又は除外蓄電装置の数を所定閾値以下に維持しつつ、管理下の蓄電装置１２０の中から少なくとも１つの除外蓄電装置を選択してもよい。
【００６２】
ここで、選択部２３２は、管理下の蓄電装置１２０のうち制御サーバ３００による充放電制御を許可する蓄電装置の数を一定数以上担保するように所定閾値を設定してもよい。例えば、管理下の蓄電装置１２０の数が「１００」であり、制御サーバ３００による充放電制御を許可する蓄電装置の数又は割合が「８０」と定められている場合を想定する。このような場合、除外蓄電装置として選択可能な数又は割合は「２０」である。或いは、選択部２３２は、所定閾値を設定してもよい。このとき、所定閾値は、管理下の蓄電装置１２０のうち制御サーバ３００による充放電制御を許可する蓄電装置の合計の定格出力を一定値以上担保するように設定されてもよい。或いは、所定閾値は、管理下の蓄電装置１２０のうち制御サーバ３００による充放電制御を許可する蓄電装置の合計の放電余力を一定値以上担保するように設定されてもよい。ここで、放電余力は、蓄電装置１２０の定格出力のうち制御サーバ３００による充放電制御のために割り当てられた電力を表す。又は、放電余力は、蓄電装置１２０の蓄電残量のうち制御サーバ３００による充放電制御のために割り当てられた電力量を表す。充放電制御を許可する蓄電装置の数、充放電制御を許可する蓄電装置の合計の定格出力、及び充放電制御を許可する蓄電装置の合計の放電余力は、Ｏ＆Ｍサービス提供者とアグリゲータとの間の合意により予め定められる。
【００６３】
管理下の蓄電装置１２０は、グループ分けされている場合を想定する。このような場合、選択部２３２は、除外蓄電装置の選択をグループごとに個別に行ってもよい。例えば、管理下の蓄電装置１２０は、グループＡと、グループＢとにグループ分けられていてもよい。グループＡは、制御サーバＡ（アグリゲータＡ）の制御対象の蓄電装置１２０を含む。グループＢは、制御サーバＢ（アグリゲータＢ）の制御対象の蓄電装置１２０を含む。このとき、選択部２３２は、グループＡとグループＢとで別々に除外蓄電装置を選択する。或いは、管理下の蓄電装置１２０が、地理的エリア（例えば電力管轄）ごとにグループ分けされる場合を想定する。このような場合、選択部２３２は、地理的エリアで別々に除外蓄電装置を選択する。
【００６４】
通知部２３３は、選択部２３２により選択された除外蓄電装置に対する充放電制御が不可である旨を制御サーバ３００に通知する。本実施形態において、通知部２３３は、外部制御禁止設定情報を除外蓄電装置に設定する。外部制御禁止設定情報は、制御サーバ３００による充放電制御を禁止することを示す。これにより、通知部２３３は、除外蓄電装置に対する充放電制御が不可である旨の通知を行う。具体的には、通知部２３３は、外部制御設定情報（「禁止」）を含むメッセージを除外蓄電装置に送信する。  選択部２３２は、除外蓄電装置の再選択を所定の周期（例えば、１ヶ月ごと、半年ごと、１年ごと）で行ってもよい。例えば、除外に一定の制約が設けられる場合に、選択部２３２は、除外蓄電装置として選択する蓄電装置１２０を定期的に入れ替える。このような場合、通知部２３３は、除外蓄電装置としての選択が解除された蓄電装置１２０に対して、外部制御禁止設定情報（「許可」）を設定してもよい。外部制御禁止設定情報（「許可」）は、制御サーバ３００による充放電制御を許可することを示す。
【００６５】
決定部２３４は、除外蓄電装置として選択した蓄電装置１２０について、特定の時間帯に限って制御サーバ３００による充放電制御を許可することとしてもよい。具体的には、決定部２３４は、選択部２３２により選択された除外蓄電装置について、制御サーバ３００による充放電制御を許可する特定時間帯を決定する。決定部２３４が、制御サーバ３００が電力系統の電力需給バランスを調整するための充放電制御を行う場合を想定する。この場合、決定部２３４は、各時間帯における調整の必要性の高さを表す情報に基づいて特定時間帯を決定する。調整の必要性の高さを表す情報とは、ＶＰＰ制御に参加することにより得られる報酬（インセンティブ）であってもよい。例えば、決定部２３４は、電力需給バランスを調整する必要性が高い時間帯（すなわち、報酬が高い時間帯）を、制御サーバ３００による充放電制御を許可する特定時間帯として決定する。このような場合、通知部２３３は、除外蓄電装置に対する充放電制御を特定時間帯において許可する旨を制御サーバ３００に通知する。例えば、通知部２３３は、特定時間帯において、外部制御禁止設定情報（「許可」）を設定してもよい。外部制御禁止設定情報（「許可」）は、制御サーバ３００による充放電制御を許可することを示す。
【００６６】
決定部２３４は、除外蓄電装置について、温度情報（外気温など）に基づいて、その蓄電装置が劣化し難いと推定される時間帯を、制御サーバ３００による充放電制御を許可する特定時間帯として決定してもよい。例えば、蓄電装置が劣化し難いと推定される時間帯は、除外蓄電装置に対応する温度が所定値以下である時間帯である。
【００６７】
（動作シーケンスの一例）
図５は、本実施形態に係る管理システム１における動作シーケンスの一例を示す図である。
【００６８】
図５に示すように、ステップＳ１０１乃至Ｓ１０３において、施設１００Ａ乃至１００Ｃのそれぞれの蓄電装置１２０は、メッセージを管理サーバ２００に送信する。メッセージには、自身の劣化に関連する蓄電装置情報を含む。蓄電装置情報は、ＳＯＣ（Ｓｔａｔｅ  ｏｆ  Ｃｈａｒｇｅ）、温度、及び充放電電力の少なくとも１つの劣化要因パラメータであってもよい。蓄電装置情報は、蓄電装置１２０の使用状況を示す情報であってもよい。
【００６９】
ステップＳ１０４において、管理サーバ２００は、各蓄電装置１２０から受信した蓄電装置情報に基づいて各蓄電装置１２０の劣化度を特定する。更に、管理サーバ２００は、特定した劣化度に基づいて除外蓄電装置を選択する。ここでは施設１００Ａの蓄電装置１２０が除外蓄電装置として選択されたと仮定して説明を進める。
【００７０】
ステップＳ１０５において、管理サーバ２００は、施設１００Ａの蓄電装置１２０に対して、外部制御設定情報（「禁止」）を除外蓄電装置に設定する。外部制御設定情報（「禁止」）は、制御サーバ３００による充放電制御を禁止することを示す。図６は、蓄電装置１２０に設定される外部制御設定情報の一例を示す図である。図６では、ＥＣＨＯＮＥＴ  Ｌｉｔｅに準拠するフォーマットにより外部制御設定情報を設定する一例を示している。図６に示すように、外部制御設定情報は、蓄電装置１２０の新たな設定情報（「プロパティ」と称される）として追加されている。例えば、プロパティ名称が「外部制御設定」であり、「外部制御設定」のインデックス（ＥＰＣ）が「０ｘ＊＊」である。「外部制御設定」は、「０ｘ４１」（許可）及び「０ｘ４２」（禁止）の値を取りうる。また、「アクセスルール」は、ＥＭＳ１４０から設定が可能な「Ｓｅｔ」及びＥＭＳ１４０から問い合わせが可能な「Ｇｅｔ」のいずれが適用されるかを表す。「外部制御設定」は、「Ｓｅｔ」が適用されず、「Ｇｅｔ」のみ適用可能とされている。すなわち、ＥＭＳ１４０は、「外部制御設定」を蓄電装置１２０に問い合わせて確認することはできるが、その内容を設定・変更することはできない。
【００７１】
ステップＳ１０６において、施設１００ＡのＥＭＳ１４０は、「外部制御設定」を問い合わせるＧｅｔメッセージを施設１００Ａの蓄電装置１２０に送信する。具体的には、Ｇｅｔメッセージは「外部制御設定」のＥＰＣである「０ｘ＊＊」を含む。
【００７２】
ステップＳ１０７において、施設１００Ａの蓄電装置１２０は、Ｇｅｔメッセージに応じて、「外部制御設定」を含むＧｅｔ応答メッセージを施設１００ＡのＥＭＳ１４０に送信する。Ｇｅｔ応答メッセージは、「外部制御設定」のＥＰＣである「０ｘ＊＊」と、設定内容である「０ｘ４２」（禁止）とを含む。
【００７３】
ステップＳ１０８において、施設１００ＡのＥＭＳ１４０は、Ｇｅｔ応答メッセージにおいて、「外部制御設定」が「０ｘ４２」（禁止）に設定されていることに応じて、メッセージを制御サーバ３００に送信する。当該メッセージは、施設１００Ａの蓄電装置１２０に対して制御サーバ３００による充放電制御が禁止されることを示す情報を含む。当該メッセージは、蓄電装置外部制御不可の旨の情報と、施設１００Ａの識別子又は施設１００Ａの蓄電装置１２０の識別子とを含んでもよい。
【００７４】
ステップＳ１０９において、制御サーバ３００は、ＥＭＳ１４０からのメッセージに応じて、施設１００Ａの蓄電装置１２０に対する充放電制御が不可である（禁止されている）ことを認識する。このとき、制御サーバ３００は、施設１００Ａ（蓄電装置１２０）をＶＰＰ制御対象から除外する。
【００７５】
ステップＳ１１０において、制御サーバ３００は、上位サーバ４００からの要請に応じて、ＶＰＰ制御の対象とする施設１００を選択する。ここで、制御サーバ３００は、自身の配下の施設１００（蓄電装置１２０）のうち、除外蓄電装置を除外した後に、制御する蓄電装置１２０を選択する。ここでは、施設１００Ｂの蓄電装置１２０が選択されたと仮定して説明を進める。
【００７６】
ステップＳ１１１において、制御サーバ３００は、施設１００ＢのＥＭＳ１４０に対して、潮流制御メッセージ又は逆潮流制御メッセージを送信する。潮流制御メッセージは、潮流の制御を要求するメッセージである。逆潮流制御メッセージは、逆潮流の制御を要求するメッセージである。
【００７７】
（実施形態のまとめ）
本実施形態によれば、管理サーバ２００は、管理下の蓄電装置１２０のそれぞれのＳＯＨを特定する。管理サーバ２００は、特定されたＳＯＨに基づいて、管理下の蓄電装置１２０の中から除外蓄電装置を選択する。除外蓄電装置とは、制御サーバ３００による充放電制御の対象から除外する蓄電装置である。更に、管理サーバ２００は、選択された除外蓄電装置に対する充放電制御が不可である旨を制御サーバ３００に通知する。これにより、制御サーバ３００が劣化を考慮せずに蓄電装置１２０の統合制御を行う場合であっても、一部の蓄電装置だけ劣化が早く進んでしまうことを回避可能とすることができる。
【００７８】
（変更例）
図７は、本実施形態に係る管理システム１における通信路構成の変更例を示す図である。以下において、上述の実施形態との相違点について説明する。
【００７９】
図７に示すように、本変更例においては、制御サーバ３００とＥＭＳ１４０との間に直接的な通信路が確立されていない。一方で、制御サーバ３００と管理サーバ２００との間、及び、管理サーバ２００とＥＭＳ１４０との間に直接的な通信路が確立されている。また、管理サーバ２００と蓄電装置１２０との間に直接的な通信路が確立されていない。
【００８０】
管理サーバ２００と制御サーバ３００との間の通信、及び、管理サーバ２００とＥＭＳ１４０との間の通信には、ＯｐｅｎＡＤＲ２．０に準拠するプロトコル又は独自の専用プロトコルを用いることができる。
【００８１】
このような通信路構成において、管理サーバ２００は、制御サーバ３００とＥＭＳ１４０との間でプロトコル変換を行う。例えば、管理サーバ２００は、制御サーバ３００からＯｐｅｎＡＤＲ２．０の制御メッセージを受信する。このような場合、管理サーバ２００は、受信した制御メッセージのフォーマットを独自の専用プロトコルに変換してＥＭＳ１４０に送信する。
【００８２】
また、管理サーバ２００は、ＥＭＳ１４０を介して蓄電装置１２０の遠隔監視を行う。管理サーバ２００は、上述の実施形態と同様に、自身の管理下の複数の蓄電装置１２０のうち一部の蓄電装置だけ劣化が早く進むことを回避するための処理を行う。具体的には、管理サーバ２００は、自身の管理下の各蓄電装置１２０の劣化度に基づいて、制御サーバ３００による充放電制御の対象から除外する除外蓄電装置を選択する。更に、管理サーバ２００は、選択された除外蓄電装置に対する充放電制御が不可である旨を制御サーバ３００に通知する。
【００８３】
本変更例において、管理サーバ２００は制御サーバ３００との間に直接的な通信路を有している。そのため、管理サーバ２００は、制御サーバ３００に対する直接的な通知を行うことができる。当該通知は、例えばＯｐｅｎＡＤＲ２．０のレポートメッセージであってもよい。当該メッセージは、蓄電装置外部制御不可の旨の情報と、除外蓄電装置の識別子又は当該除外蓄電装置を有する施設の識別子とを含んでもよい。
【００８４】
図８は、本変更例に係る管理システム１における動作シーケンスの一例を示す図である。
【００８５】
図８に示すように、ステップＳ２０１乃至Ｓ２０４において、施設１００Ａ乃至１００Ｃのそれぞれの蓄電装置１２０は、メッセージを、対応するＥＭＳ１４０を介して管理サーバ２００に通知する。当該メッセージは、自身の劣化に関連する蓄電装置情報を含む。
【００８６】
ステップＳ２０５において、管理サーバ２００は、各蓄電装置１２０の蓄電装置情報に基づいて各蓄電装置１２０の劣化度を特定する。更に、管理サーバ２００は、特定した劣化度に基づいて除外蓄電装置を選択する。ここでは施設１００Ａの蓄電装置１２０が除外蓄電装置として選択されたと仮定して説明を進める。
【００８７】
ステップＳ２０６において、管理サーバ２００は、メッセージを制御サーバ３００に送信する。当該メッセージは、制御サーバ３００による充放電制御を禁止することを示す情報を含む。当該メッセージは、蓄電装置外部制御不可の旨の情報と、施設１００Ａの蓄電装置１２０の識別子又は施設１００Ａの識別子とを含んでもよい。
【００８８】
ステップＳ２０７において、制御サーバ３００は、管理サーバ２００からのメッセージに応じて、施設１００Ａの蓄電装置１２０に対する充放電制御が不可である（禁止されている）ことを認識する。更に、制御サーバ３００は、施設１００Ａ（蓄電装置１２０）をＶＰＰ制御対象から除外する。
【００８９】
ステップＳ２０８において、制御サーバ３００は、上位サーバ４００からの要請に応じて、ＶＰＰ制御の対象とする施設１００を選択する。ここで、制御サーバ３００は、自身の配下の施設１００（蓄電装置１２０）のうち、除外蓄電装置を除外した後に、制御する蓄電装置１２０を選択する。ここでは、施設１００Ｂの蓄電装置１２０が選択されたと仮定して説明を進める。
【００９０】
ステップＳ２０９において、制御サーバ３００は、施設１００ＢのＥＭＳ１４０に対して、潮流制御メッセージ又は逆潮流の制御を要求する逆潮流制御メッセージを送信する。潮流制御メッセージは、潮流の制御を要求するメッセージである。逆潮流制御メッセージは、逆潮流の制御を要求するメッセージである。
【００９１】
（その他の実施形態）
上述の実施形態では特に触れていないが、除外蓄電装置に対する制御サーバ３００による充放電制御が禁止された場合であっても、除外蓄電装置に対してＥＭＳ１４０が自発的に行う充放電制御は許可されてもよい。或いは、除外蓄電装置に対する制御サーバ３００による充放電制御が禁止された場合、ＥＭＳ１４０が自発的に行う充放電制御も禁止されてもよい。
【００９２】
上述の実施形態では、管理サーバ２００がデータベース２１０を有するが、これに限定されるものではない。データベース２１０は、インターネット上に設けられたクラウドサーバであってもよい。
【００９３】
上述の実施形態では特に触れていないが、ＥＭＳ１４０は、必ずしも施設１００内に設けられていなくてもよい。例えば、ＥＭＳ１４０の機能の一部は、インターネット上に設けられたクラウドサーバによって提供されてもよい。すなわち、ＥＭＳ１４０がクラウドサーバを含むと考えてもよい。
【００９４】
以上、図面を参照して実施形態について詳しく説明したが、具体的な構成は上述のものに限られることはなく、要旨を逸脱しない範囲内において様々な設計変更等をすることが可能である。
【００９５】
本願は、日本国特許出願第２０１８−１２２９４９号（２０１８年６月２８日出願）の優先権を主張し、その内容の全てが本願明細書に組み込まれている。
【図１】
2020004053.tif 000003
【図２】
2020004053.tif 000004
【図３】
2020004053.tif 000005
【図４】
2020004053.tif 000006
【図５】
2020004053.tif 000007
【図６】
2020004053.tif 000008
【図７】
2020004053.tif 000009
【図８】
2020004053.tif 000010
【国際調査報告】
2020004053.tif 000011
2020004053.tif 000012